(57)【要約】【課題】動物の直腸温の電子体温計での測定に際して、表示温度を容易に読み取ることができ、また、体温計を紛失しないための補助具を提供する。【解決手段】電子体温計の温度表示部を滑らかな外表面をもつ温度読み取り部５を有し該電子体温計を保持するホルダー２と動物の身体に取り付けられるクリップ３とホルダーとクリップを連結する紐４とから構成されることから、温度表示部近辺に付着する糞は、きれいに拭き取ることができ、表示温度を容易に読み取ることができ、クリップを動物の身体（体毛）に固定することで、動物が排便した時に糞に体温計が押し出されて紛失してしまうことのない動物の直腸温測定用補助具。【選択図】    図１
2005021418.tif 000002
【特許請求の範囲】
【請求項１】
電子体温計の温度表示部を覆う滑らかな外表面をもつ透明な温度読み取り部を有し該電子体温計を保持するホルダーと動物の身体に取り付けられるクリップと前記ホルダーと前記クリップを連結する紐とから構成される動物の直腸温測定用補助具。
【請求項２】
前記ホルダーの前記温度読み取り部は防水素材で作られていることを特徴とする請求項１に記載の動物の直腸温測定用補助具。
【請求項３】
前記ホルダーの前記温度読み取り部は凸レンズ形状であることを特徴とする請求項１または請求項２に記載の動物の直腸温測定用補助具。
【発明の詳細な説明】
【０００１】
【発明の属する技術分野】
本発明は動物の直腸温（直腸体温；直腸での体温）を電子体温計を使用して検温（測定）する時に用いる補助具に関する。
【０００２】
【従来の技術】
動物の直腸温の簡便な測定は、水銀体温計を使用して測定するのが一般的である。電子式の体温測定では、例えば、長時間モニター用のセンサ内蔵プローブによる体温測定装置が考えられている。（例えば、特許文献１参照）また、温度表示部を本体に備える人の体温測定用の電子体温計をそのまま使用することも考えられている。
【特許文献１】実用新案登録第２５８３３８５号
【発明が解決しようとする課題】
しかし、水銀体温計では、ガラス部分が破損する事による水銀汚染の心配があった。特に、体温測定の対象となる動物が牛の場合には、肉や乳を食用とすることから水銀汚染には充分な注意が必要であった。また、長時間モニターのセンサ内蔵プローブによる体温測定装置では、温度表示のなされる本体装置を外部に設置する必要や通常測定者が常時監視する必要があるなど、簡便な体温測定には適さなかった。更に、人の体温測定に用いられる温度表示部を本体に備える電子体温計をそのまま使用する場合には、動物の排便時に糞に体温計が押し出されて紛失したり、糞が温度表示部（液晶表示部）に付着するとき、表示温度を読みづらいなどの不都合があった。
【０００３】
本発明は、上記の問題を解決するためになされたものであって、人の体温測定用の電子体温計を用いて、簡便に、安全に、動物の直腸温の測定を行うことができ、体温計を排便時に紛失することもなく、また、温度表示部の読み取りが容易となる動物の直腸温測定用補助具を提供することを目的とする。
【０００４】
【課題を解決するための手段】
上記の目的を達成するための本発明の動物の直腸温測定用補助具は、下記の（１）〜（３）の通りである。
（１）電子体温計の温度表示部を覆う滑らかな外表面をもつ透明な温度読み取り部を有し該電子体温計を保持するホルダーと動物の身体に取り付けられるクリップと前記ホルダーと前記クリップを連結する紐とから構成される動物の直腸温測定用補助具。
（２）前記ホルダーの前記温度読み取り部は防水素材で作られている（形成されている）ことを特徴とする（１）に記載の動物の直腸温測定用補助具。
（３）前記ホルダーの前記温度読み取り部は凸レンズ形状であることを特徴とする請求項（１）または請求項（２）に記載の動物の直腸温測定用補助具。
【０００５】
【発明の実施の形態】
以下、本発明の動物の直腸温測定用補助具を添付図面に示す好適実施例に基づいて詳細に説明する。
【０００６】
図１は、本実施例の補助具の全体図である。図２は、本実施例の補助具を電子体温計に装着した状態を体温計の温度表示部の側からみた図である。図３（ａ）（ｂ）は、それぞれ、図２の長手方向の対称軸での断面図（Ａ−Ａ断面図）と温度表示部での長手方向に垂直な方向の断面図（Ｂ−Ｂ断面図）である。これらの断面図では、補助具については断面を斜線して示しているが、電子体温計については、内部構造を略し、外形の輪郭のみを示している。また、図４は、本実施例の補助具を電子体温計に装着して、動物の直腸温（体温）を測定している図である。
【０００７】
本実施例の補助具１の装着される電子体温計１００は、通常の市販されている棒状の防水性の電子体温計であり、図２に示すように、略直方体の本体部１１０と本体部１１０から本体部の長手方向に縮径して延びる先端に測温部１３０を有するプローブ部１２０とからなり、測温部１３０で測定される測定温度は本体部１１０の上面の温度表示部１４０に表示されるように構成されている。
【０００８】
図１に示すように、本実施例の補助具１は、電子体温計１００を保持するホルダー２と動物の身体（特に、体毛）に取り付けられるクリップ３とホルダー２とクリップ３を連結する紐４から構成されている。
【０００９】
ホルダー２の長手方向の一端２２側の外表面には、クリップ３の取り付け部８に連結する紐４の取り付け部６が、ホルダー２に一体に形成されている。（すなわち、ホルダー２は、紐４の取り付け部６を有している。）この一体の形成により、紐４に加わる張力が大きい場合にも、紐４の取り付け部６がホルダー２から外れることがない。また、ホルダー２を電子体温計１００に装着したとき、電子体温計１００の温度表示部（液晶表示部）１４０に対向するホルダー２の位置には、図３（ａ）（ｂ）に示すように滑らかな外表面をもつ凸レンズ形状の透明な温度読み取り部５が一体に形成されている。（すなわち、ホルダー２は、滑らかな外表面をもつ凸レンズ形状の透明な温度読み取り部５を有している。）このように温度読み取り部５は、滑らかな外表面をもって形成されていることから、糞などが付着した場合でも、容易にきれいに拭き取ることができる。
【００１０】
更に、紐４の取り付け部６や温度読み取り部５が一体に形成されているホルダー２は、ホルダー本体部２０と紐４の取り付け部６や温度読み取り部５は共に、同じ透明な防水性素材（防水素材）で形成されている。このようにホルダー本体部２０と紐４の取り付け部６や温度読み取り部５を同じ素材にすることで、ホルダー２での紐４の取り付け部６や温度読み取り部５の一体の形成（一体成形）が容易である。また、防水性の素材を用いていることから、ホルダー２に付着した糞などは、容易にきれいに拭き取ることができる。このため、特に、温度読み取り部５について、糞などが付着した場合でも、容易にきれいに拭き取ることができ、測定者は、温度表示部１４０で表示される測定温度（測定された体温値）を透明な温度読み取り部５を通して容易に読み取ることができる。
【００１１】
ホルダー２を形成する透明な防水性素材としては、ポリカーボネイト（ＰＣ）やポリスチロール（ＰＳ）などのプラスチックを用いることができ、限定されるものではないが、耐熱性をもち傷がつきにくい点から、特に、ポリカーボネイトが好ましい。
【００１２】
ホルダー２は、電子体温計１００を内部に通すことができるように長手方向の両端２１、２２に通じる開口７を形成している。
【００１３】
電子体温計１００は、ホルダー２の取り付け部６のある一端２２の開口部より挿入して、他端２１の開口部が電子体温計１００の本体部１１０よりわずかに縮径したプローブ部１２０の部分が位置するように装着される。
【００１４】
図２と図３（ａ）に示すように、ホルダー２の取り付け部６のある一端２２の開口部よりも反対の端２１の開口部（開口面積）は小さくなっており、電子体温計１００をホルダー２に挿入したとき、本体部１１０よりわずかに縮径したプローブ部１２０の部分が、ホルダー２の端２１の締まりバネ性によって係止され、ホルダー２は電子体温計１００に装着される。
【００１５】
通常、図３（ａ）に示す電子体温計１００の外形の輪郭にみるように、温度表示部１４０の表面と筐体表面との境には段差や接合部が設けられている。そして、この段差や接合部の部分に動物の糞などが付着すると布等で拭いても、きれいに拭き取ることは難しく、温度表示部１４０が汚れたままになり、温度表示部１４０の表示温度の読み取りを困難にする。しかし、電子体温計１００にホルダー２が適切に装着されている場合には、ホルダー２の温度読み取り部５が体温計の温度表示部１４０を覆い、ホルダー２の内面は、少なくとも、電子体温計１００の温度表示部１４０の周りに密着しているため、温度表示部１４０の近くに糞などが付着することはない。
【００１６】
このため、ホルダー２の装着された電子体温計１００での体温測定では、温度表示部１４０の表面と筐体表面の境の段差や接合部に糞などが付着して、表示温度の読み取りを困難にすることはない。すなわち、体温計の温度表示部１４０を覆う温度読み取り部５を有するホルダー２は、体温計の温度表示部１４０に、直接、動物の糞などが付着することを防止できる。
【００１７】
本発明の実施例の直腸温測定用補助具１は、以上のように構成されていて、動物の体温の測定に際しては、以下の要領で用いられる。
【００１８】
測定者は、図２に示すように電子体温計１００に補助具１のホルダー２を装着し、図５に示すように、動物の体毛（肛門周辺の体毛）にクリップ３を固定し、動物の肛門にホルダー２付きの電子体温計１００を挿入して、体温測定（直腸温測定）を開始する。
【００１９】
電子体温計１００の肛門に挿入する部分は、動物が小さいときには、電子体温計１００の感温部１３０の近くのプローブ部１２０のみでもよいが、動物が大きくなるにつれて、感温部１３０を安定して、肛門内に留めることができるように、電子体温計１００の本体部１１０（一部、または、全部）も一緒に挿入する。図４では、本体部１１０を半分ほど挿入した図となっているが、牛などの大きな動物では、本体全部を肛門に挿入してもよい。
【００２０】
電子体温計１００が装着しているホルダー２は、動物の体毛に固定されたクリップ３に紐４で連結されているため、体温測定時に、動物が排便しても、糞に電子体温計１００が押し流されて紛失するようなことはない。このため、測定者は、電子体温計１００の紛失を恐れて、体温測定の間、常時動物の傍に居る必要はなく、体温測定の間、動物のもとを離れることができる。
【００２１】
体温測定が終了すると、測定者は、電子体温計１００をホルダー２を装着した状態で、動物の肛門から取り出す。そして、電子体温計１００の温度表示部１４０を覆うホルダー２の温度読み取り部５に糞が付着していて、温度表示部１４０の表示温度（測定された体温値）を読み取ることが難しい場合には、布等でホルダー２の温度読み取り部５に付着している糞を拭き取る。温度読み取り部５はホルダー２に滑らかな外表面をもち防水性の素材で一体に形成されていることから、容易に、きれいに糞を拭き取ることができ、測定者は、温度表示部１４０の表示温度（測定された体温値）を、容易に読み取ることができる。温度読み取り部５は、凸レンズ形状をしていることから、温度表示部１４０の表示温度（測定された体温値）が拡大され、測定者の表示温度（測定された体温値）の読み取りは、更に、容易となっている。
【００２２】
図５（ａ）（ｂ）（ｃ）は、本発明のホルダー２の別の実施例の図であり、それぞれ、斜視図と電子体温計に装着時の２つの断面図（図３（ａ）（ｂ）に対応）である。この実施例は、電子体温計１００の筐体の裏面（温度表示部がある面と反対の面）に凹部１５０（型式等の記載箇所）が形成されている場合に適用されるホルダー２であり、ホルダー２の側面にバネ性を有する爪部９を形成し、電子体温計１００の凹部１５の辺端にホルダー２の爪部９を係止することで、ホルダー２の端２１の締まりバネ性による係止に加えて、電子体温計１００のホルダー２への装着を確実にしている。
以上、本発明の直腸温測定用補助具について、添付図面に示す好適実施例に基づいて説明したが、本発明は、実施例に限定されるものではない。
【００２３】
本実施例では、温度読み取り部はホルダー本体部と一体に透明の防水素材で形成されているが、読み取り部以外のホルダー本体部は、不透明に形成されるものであってもよい。このようにすることで、ホルダー本体部の色を工夫して、温度読み取り部で読み取られる温度表示部の測定温度をより際立たせて、読み取り易くすることができる。
【００２４】
また、本実施例では、ホルダー（ホルダー本体）は、体温計に適切に装着される場合、体温計の長手方向で体温計の筐体の外に伸びるものではないが、体温計の感温部をホルダーが覆わない限り、ホルダー（ホルダー本体）が体温計の感温部の反対の端を越えて長く伸びていてもよい。このようにすることで、大きな動物の体温測定に際して、体温計全体を肛門に挿入する必要がある場合、体温計は肛門内に挿入されても、ホルダー（ホルダー本体）の一端を肛門の外に出すことができるため、体温測定終了後、体温計を肛門から取り出すのが容易である。
【００２５】
更に、本実施例では、防水性の電子体温計を用いているが、使用する電子体温計は防水性に限定されるものではない。防水性を備えていない体温計（例えば、本体部の後部にスイッチを備えた体温計）に対しても、ホルダーに体温計に応じた防水性の構造（例えば、ホルダーに、本体部の後部のスイッチを覆う密着性の蓋を設ける等）を、適宜、備えるようにすることができる。
【００２６】
【発明の効果】
以上のように構成された本発明の動物の直腸温測定用補助具は、次のような効果を奏する。
【００２７】
本発明の補助具は、電子体温計の温度表示部を覆う滑らかな外表面をもつ透明な温度読み取り部を有し該電子体温計を保持するホルダーを備えることから、電子体温計に装着することで、体温計の温度表示部には糞は付着せず、また、温度読み取り部近辺に付着する糞は、容易にきれいに拭き取ることができ、体温計の温度表示部での表示温度（測定された体温値）の読み取りが容易である。また、動物の身体に取り付けられるクリップとホルダーとを連結する紐を有することから、クリップを動物の身体（体毛）に固定することで、動物が排便した時に糞に体温計が押し出されて紛失してしまうことはなく、体温測定中、動物を測定者が常時監視している必要もない。
【００２８】
従って、本発明の動物の直腸温測定用補助具は、電子体温計に装着することで、センサ内蔵プローブによる体温測定装置に比べて簡便に、水銀体温計を用いる場合に比べて安全に、動物の直腸温の測定を行うことができると共に、体温計を排便時に紛失することもなく、また、体温計の温度表示部の表示温度の読み取りが容易である。
【００２９】
また、ホルダーの温度読み取り部が防水素材であることから、温度読み取り部に付着した糞は容易にきれいに拭き取ることができ、体温計の温度表示部の表示温度の読み取りが、更に容易である。
【００３０】
また、ホルダーの温度読み取り部が凸レンズ形状であることから、体温計の温度表示部に表示される測定温度（測定された体温値）が拡大されて表示され、測定温度の読み取りが正確で容易である。
【図面の簡単な説明】
【図１】本発明の実施例の全体図である。
【図２】本発明の実施例の補助具を電子体温計に装着した状態を体温計の温度表示部の側からみた図である。
【図３】（ａ）（ｂ）は、それぞれ、図２の長手方向での対称軸での断面図（Ａ−Ａ断面図）と温度表示部での長手方向に垂直の方向の断面図（Ｂ−Ｂ断面図）である。
【図４】本発明の実施例の補助具を体温計に装着して、動物の直腸温を測定している図である。
【図５】（ａ）（ｂ）（ｃ）は、本発明のホルダーの別の実施例の、斜視図と電子体温計に装着時の２つの断面図（図３（ａ）（ｂ）に対応）である。
【符号の説明】
１          直腸温測定用補助具
２          ホルダー
２０        ホルダー本体部
２１、２２  ホルダーの端
３          クリップ
４          紐
５          温度読み取り部
６          ホルダーでの紐の取り付け部
７          開口
８          クリップでの紐の取り付け部
９          爪部
１００      電子体温計
１１０      体温計本体部
１２０      体温計プローブ部
１３０      体温計感温部
１４０      温度表示部
１５０      体温計の裏面の凹部
【図１】
2005021418.tif 000003
【図２】
2005021418.tif 000004
【図３】
2005021418.tif 000005
【図４】
2005021418.tif 000006
【図５】
2005021418.tif 000007